(57)【要約】【課題】スクリーン本体を繰り出しながら被磁着体に磁着させるマグネットスクリーン装置において、スクリーン本体にシワや弛みが生じることなく引き出し及び巻き取りができるようにする。【解決手段】収納ケース１と、収納ケース１に回動自在に取り付けられた巻き取りロール２と、巻き取りロール２に巻き取られるスクリーン本体３と、収納ケース１に取り付けられた押さえロール５とを備え、収納ケース１は、スクリーン本体３の引き出し及び巻き取りのためのスクリーン本体３の幅よりも長い開口部１３を有し、押さえロール５は、収納ケース１の開口部１３からその一部が外に突出するように設けられ、スクリーン本体３は押さえロール５によって被磁着体に押圧されながら引き出され、巻き取られることを特徴とする。【選択図】図７
2018155983.tif 000002
【特許請求の範囲】
【請求項１】
収納ケースと、
前記収納ケースに回動自在に取り付けられた巻き取りロールと、
スクリーン層とマグネット層とを有し、前記巻き取りロールに巻き取られるスクリーン本体と、
前記収納ケースに取り付けられた押さえ部材と
を備え、
前記収納ケースは、前記スクリーン本体の引き出し及び巻き取りのための前記スクリーン本体の幅よりも長い開口部を有し、
前記押さえ部材は、前記収納ケースの前記開口部からその一部が外に突出するように設けられ、
前記スクリーン本体は前記押さえ部材によって被磁着体に押圧されながら引き出され、巻き取られる
ことを特徴とするマグネットスクリーン装置。
【請求項２】
前記押さえ部材が前記収納ケースに回動自在に取り付けられている請求項１記載のマグネットスクリーン装置。
【請求項３】
前記押さえ部材の幅方向の長さが、前記スクリーン本体の幅よりも長く設定されている請求項１又は２に記載のマグネットスクリーン装置。
【請求項４】
前記スクリーン本体の巻き取り方向の一端部におけるマグネット層側の面が、前記巻き取りロールに接合され、
前記スクリーン本体は、マグネット層側を内側として前記巻き取りロールにロール状に巻き取られる請求項１〜３のいずれかに記載のマグネットスクリーン装置。
【請求項５】
前記スクリーン本体が前記収納ケースから引き出されて張設された際、前記押さえ部材は被磁着体から離間した位置で前記スクリーン本体を被磁着体側に向けて押さえ付ける請求項１〜４のいずれかに記載のマグネットスクリーン装置。
【発明の詳細な説明】
【技術分野】
【０００１】
本発明はマグネットスクリーン装置に関し、より詳細にはスクリーン本体を繰り出しながら被磁着体に磁着させるマグネットスクリーン装置に関するものである。
【背景技術】
【０００２】
必要なときに収納ケースからスクリーン本体を展開して黒板やホワイトボードなどの被磁着体に磁着させ、スクリーン本体に画像を映写可能とする可搬式のマグネットスクリーン装置がこれまでから種々提案されている。
【０００３】
これまでの可搬式のマグネットスクリーン装置の多くは、スクリーン本体を収納ケースから引き出した後、黒板等の被磁着体に磁着していた。このため、スクリーン本体にシワや弛みが生じたり、自重によって撓んだりする不具合の生じることがあった。
【０００４】
このような不具合を解消するため、スクリーン本体を繰り出しながら被磁着体に磁着するスクリーン装置が提案されている（例えば特許文献１など）。しかしながら、このようなスクリーン装置であっても、軸部材に巻き取られている間に生じるスクリーン本体の癖に起因して、スクリーン本体を引き出して展開したときに幅方向両端部が捲れ上がる不具合は抑制されない。
【０００５】
そこで、例えば特許文献２では、マグネット面側を内側としてスクリーン本体をロール部材に巻き取るようにして、スクリーン本体を引き出して展開した際の幅方向端部の捲れ上がりを抑制することが提案されている。また特許文献２では、収納ケースから引き出したスクリーン本体の巻き取りロールに近接した部位を長尺部材で押さえ付けて、巻き取りロールに近接した部位も被磁着体に磁着可能としている。
【先行技術文献】
【特許文献】
【０００６】
【特許文献１】特開２０１６−３８４７５号公報
【特許文献２】特開２０１６−１６７０２５号公報
【発明の概要】
【発明が解決しようとする課題】
【０００７】
スクリーン本体を繰り出しながら被磁着体に磁着させる特許文献２のスクリーン装置では、被磁着体に磁着させる際のスクリーン本体のシワや弛みはある程度抑制されるものの、スクリーン本体が引き出し及び巻き取られる際に長尺部材と被磁着体との間には隙間があるため、スクリーン本体のシワや弛みは完全には防止できないと考えられる。
【０００８】
本発明はこのような従来の問題に鑑みてなされたものであり、その目的は、スクリーン本体を繰り出しながら被磁着体に磁着させるマグネットスクリーン装置において、スクリーン本体にシワや弛みが生じることなく引き出し及び巻き取り可能なマグネットスクリーン装置を提供することにある。
【０００９】
また本発明の他の目的は、スクリーン本体を展開したときに幅方向両端部が捲れ上がりが生じないようにすることにある。
【課題を解決するための手段】
【００１０】
前記目的を達成する本発明に係るマグネットスクリーン装置は、収納ケースと、前記収納ケースに回動自在に取り付けられた巻き取りロールと、スクリーン層とマグネット層とを有し、前記巻き取りロールに巻き取られるスクリーン本体と、前記収納ケースに取り付けられた押さえ部材とを備え、前記収納ケースは、前記スクリーン本体の引き出し及び巻き取りのための前記スクリーン本体の幅よりも長い開口部を有し、前記押さえ部材は、前記収納ケースの前記開口部からその一部が外に突出するように設けられ、前記スクリーン本体は前記押さえ部材によって被磁着体に押圧されながら引き出され、巻き取られることを特徴とする。なお、本明細書において「スクリーン本体の幅」とは、スクリーン本体の引き出し方向に対して直交する方向のスクリーン本体の一方端から他方端までの長さをいうものとする。
【００１１】
前記構成のマグネットスクリーン装置において、前記押さえ部材が前記収納ケースに回動自在に取り付けられている構成であるのが好ましい。
【００１２】
また、前記構成のマグネットスクリーン装置において、前記押さえ部材の幅方向の長さが、前記スクリーン本体の幅よりも長く設定された構成であるのが好ましい。
【００１３】
また、前記構成のマグネットスクリーン装置において、前記スクリーン本体の巻き取り方向の一端部におけるマグネット層側の面が、前記巻き取りロールに接合され、前記スクリーン本体は、マグネット層側を内側として前記巻き取りロールにロール状に巻き取られる構成であるのが好ましい。
【００１４】
また、前記構成のマグネットスクリーン装置において、前記スクリーン本体が前記収納ケースから引き出されて張設された際、前記押さえ部材は被磁着体から離間した位置で前記スクリーン本体を被磁着体側に向けて押さえ付ける構成であるのが好ましい。
【発明の効果】
【００１５】
本発明のマグネットスクリーン装置によれば、スクリーン本体にシワや弛みが生じることなく被着磁体に磁着させることができる。また巻き取る際もスクリーン本体にシワや弛みが生じることなく巻き取りロールに巻き取ることができる。
【図面の簡単な説明】
【００１６】
【図１】本発明に係るマグネットスクリーン装置の一実施形態を示す全体斜視図である。
【図２】図２は図１のＡ−Ａ線断面図である。
【図３】キャップ部材の斜視図である。
【図４】巻き取りロールと押さえロールとがキャップ部材によって収納ケースに支持されている状態を示す幅方向一方側の斜視図である。
【図５】巻き取りロールと押さえロールとがキャップ部材によって収納ケースに支持されている状態を示す幅方向他方側の斜視図である。
【図６】マグネットスクリーン装置を黒板に磁着させる工程を示す正面図である。
【図７】図６のＢ−Ｂ線断面図である。
【発明を実施するための形態】
【００１７】
以下、本発明を図に基づきさらに詳しく説明するが本発明はこれらの実施形態に何ら限定されるものではない。
【００１８】
（マグネットスクリーン装置の構成）
図１は、本発明に係るマグネットスクリーン装置Ｓの一実施形態を示す全体斜視図であり、図２は図１のＡ−Ａ線断面図である。これらの図に示すマグネットスクリーン装置Ｓは、幅方向に長い収納ケース１と、収納ケース１内に回動自在に取り付けられた巻き取りロール２と、引き出し方向後端部が巻き取りロール２に接合されて、巻き取りロール２に巻き取られるスクリーン本体３と、スクリーン本体３の引き出し方向先端部に接合された固定用バー４と、押さえロール（押さえ部材）５とを有する。
【００１９】
収納ケース１は、幅方向両端部が開口で略円筒状のケース本体１１と、ケース本体１１の幅方向両端部の開口を封鎖する一対のキャップ部材１２ａ，１２ｂとを有する。ケース本体１１には幅方向の全体にわたって開口した細長い開口部１３が形成されている。ケース本体１１の内部にはスクリーン本体３を巻き取った巻き取りロール２を収納可能な空間１４が確保されており、図２に示す幅方向に対して垂直断面においてこの空間１４から開口部１３に向けて高さ方向の幅がすぼまった形状を有している。ケース本体１１の被着磁体と当接する高さ方向下側面には断面四角形の浅い凹部１５が幅方向に連続して設けられている。そして、厚みが凹部１５の深さ以下である永久磁石１６が幅方向所定間隔で凹部１５に取り付けられている。これにより、収納ケース１は永久磁石１６によって黒板などの被磁着体の任意の位置にがたつくことなく固定可能となる。もちろん永久磁石１６は凹部１５の幅方向全体に設けられてもよい。なお、本実施形態では、後述するように、一対のキャップ部材１２ａ、１２ｂのケース本体１１への取り付けの際に、キャップ部材１２ａ、１２ｂの位置決め用突出部１２６（図３に図示）が凹部１５の幅方向両端部に係入するので、この部分には永久磁石１６は設けられていない。
【００２０】
図３にキャップ部材１２ａの斜視図を示す。なお、一対のキャップ部材１２ａ，１２ｂは左右対称の形状を有するので、ここでは一方のキャップ部材１２ａの構造のみ説明する。キャップ部材１２ａはケース本体１１の幅方向に対して垂直断面形状と略同一の外形のキャップ本体１２０を有する。キャップ本体１２０の内側面には、巻き取りロール２を支持するための第１ボス１２１と、第１ボス１２１の外周に周方向に等間隔で形成された複数個のリブ１２２と、複数個のリブ１２２の半径方向外側端に接続する円筒状のリブ１２３と、押さえロール５を支持するための第２ボス１２４と、第１ボス１２１を中心として略対称位置に形成された２つの貫通孔１２５ａ，１２５ｂと、第１ボス１２１の下方に形成された板状の位置決め用突出部１２６とを有する。
【００２１】
巻き取りロール２は、幅方向に長い円筒形状を有し、内蔵された不図示のスプリングによってスクリーン本体３を巻き取る方向に常に付勢力が付与されている。使用に際してスクリーン本体３はスプリングの付勢力に抗して収納ケース１から引き出される。巻き取りロール２の幅方向両端部には、巻き取りロール２の軸中心を通り外方に突出する支持軸２１（図２に図示）が設けられている。そして、後述するように、支持軸２１が一対のキャップ部材１２ａ，１２ｂの第１ボス１２１内に係入することによって、巻き取りロール２は収納ケース１に回動自在に取り付けられる。
【００２２】
スクリーン本体３は平面視において四角形状であり、使用時における表面側にスクリーン層３１を有し、使用時における裏面側にマグネット層３２を有する（図２の拡大図を参照）。もちろん、スクリーン層３１及びマグネット層３２の外にコート層など他の層を有していても構わない。スクリーン本体３の引き出し方向後端部は、巻き取りロール２に接合されている。具体的には、スクリーン本体３の引き出し方向後端部におけるマグネット層３２側の面（裏面側）が巻き取りロール２に接合されている。これにより、スクリーン本体３はマグネット層３２側を内側として巻き取りロール２にロール状に巻き取られて、スクリーン本体３を収納ケース１から引き出して展開した際の幅方向端部の捲れ上がりが抑制される。
【００２３】
固定用バー４はスクリーン本体３の引き出し方向先端部に接合される。固定用バー４の幅方向の長さはスクリーン本体３よりも長く、収納ケース１と略同一である。固定用バー４の被着磁体と当接する外側面には永久磁石４１が取り付けられている。この永久磁石４１によって固定用バー４は黒板などの被磁着体に固定することができる。また、スクリーン本体３が収納ケース１に巻き取られる際には、固定用バー４は開口部１３から収納ケース１内に進入することはできず、固定用バー４が収納ケース１の開口部１３の周縁に当接することでスクリーン本体３の巻き取りが完了する。
【００２４】
押さえロール５は円筒形状を有し、幅方向の長さはスクリーン本体３の長さ以上で、押さえロール５の外径は収納ケース１の開口部１３の短手方向の長さよりも短く設定されている。押さえロール５の外周面の一部は開口部１３から外に突出し露出している。押さえロール５の幅方向両端部には、押さえロール５の軸中心を通り外方に突出する支持軸５１（図２に図示）が設けられている。そして、後述するように、支持軸５１が一対のキャップ部材１２ａ，１２ｂの第２ボス１２４内に係入することによって、押さえロール５は軸中心が巻き取りロール２の軸中心と平行で且つ収納ケース１に回動自在に取り付けられる。押さえロール５の直径は小さくする方がマグネットスクリーン装置Ｓの小型・軽量化が図れるが、極度に小さくすると幅方向において押さえロール５が撓むおそれがある。押さえロール５の好適な直径は１０ｍｍ〜２０ｍｍの範囲である。また、押さえロール５の断面形状は円形でなくてもよく、また回動不能に取り付けられていてもよいが、収納ケース１からスクリーン本体３を引き出し・巻き取る際の押さえロール５とスクリーン本体３との摺擦を低減する観点からは、押さえロール５は断面形状が円形で且つ回動可能であるのが望ましい。
【００２５】
図２に示すように、巻き取りロール２の軸中心と押さえロール５の軸中心とのスクリーン本体３の引き出し方向の距離Ｌは３０ｍｍ〜４５ｍｍの範囲が好ましい。距離Ｌが前記範囲であることにより、装置の大型化を抑えながら押さえロール５によるスクリーン本体３の屈曲劣化や摩耗を抑えることができる。また、収納ケース１を被磁着体に磁着したときの被磁着体から押さえロール５の下端までの距離Ｄは３ｍｍ〜５ｍｍの範囲が好ましい。距離Ｄが前記範囲であることにより、スクリーン本体３を収納ケース１から引き出して被磁着体に磁着させたときに、巻き取りロール２の近傍位置までスクリーン本体３を被磁着体に磁着させることできると共にスクリーン本体３の収納ケース１への円滑な巻き取り及び引き出しが維持される。
【００２６】
（組み立て）
次に、マグネットスクリーン装置Ｓの組み立てについて説明する。図４及び図５に巻き取りロール２と押さえロール５とが一対のキャップ部材１２ａ，１２ｂによって収納ケース１に支持されている状態を示す斜視図を示す。なお、図４及び図５では支持されている状態を分かり易くするためにケース本体１１の一部を取り外した状態としている。
【００２７】
まず、ケース本体１１に幅方向端部から巻き取りロール２と押さえロール５とを挿入する。次いで、一対のキャップ部材１２ａ，１２ｂの第１ボス１２１に巻き取りロール２の支持軸２１を係入させ、第２ボス１２４に押さえロール５の支持軸５１を係入させる。また同時に、一対のキャップ部材１２ａ，１２ｂの位置決め用突出部１２６をケース本体１１の凹部１５に係入してキャップ部材１２ａ，１２ｂの位置決めを行い、ケース本体１１の幅方向両端部にキャップ部材１２ａ，１２ｂを嵌め入れる。このとき、キャップ部材１２ａ，１２ｂの貫通孔１２５ａ，１２５ｂ（図３に図示）と、ケース本体１１のネジ穴１７ａ，１７ｂ（図２に図示）とが重なった状態となる。そして、ネジ部材１８ａ，１８ｂ（図１に図示）をキャップ部材１２ａ，１２ｂの貫通孔１２５ａ，１２５ｂに挿通し、ケース本体１１のネジ穴１７ａ，１７ｂに螺合させてキャップ部材１２ａ，１２ｂをケース本体１１にネジ止めする。
【００２８】
（使用手順）
上記構成のマグネットスクリーン装置Ｓの使用手順について図６及び図７に基づいて説明する。図６は、被磁着体として黒板ＭＢにマグネットスクリーン装置Ｓを磁着させる工程を示す正面図であり、図７は、図６のＢ−Ｂ線断面図である。なお、図６における上下方向、左右方向及び紙面奥行き方向が装置の上下方向、左右方向及び高さ方向である。
【００２９】
本発明のマグネットスクリーン装置Ｓは可搬性を有し、スクリーン本体３が収納ケース１に巻き取られた収納状態で取手１７を持って運ぶことができる。そして、黒板（被磁着体）ＭＢの所望の位置にまず固定用バー４を磁着させた後、収納ケース１を移動させながらスクリーン本体３を引き出して黒板ＭＢに磁着させる。
【００３０】
図６（ａ）及び図７（ａ）は、マグネットスクリーン装置Ｓが永久磁石１６，４１によって黒板ＭＢに磁着した状態図である。ここで、マグネットスクリーン装置Ｓの黒板ＭＢにおける取付位置は固定用バー４が所定位置すなわちスクリーン本体３を展開したとき右端となる位置である。
【００３１】
次いで、図６（ｂ）及び図７（ｂ）に示すように、収納ケース１を左方向に移動させる。収納ケース１を移動させることによって、スクリーン本体３が収納ケース１から引き出されて順次黒板ＭＢに磁着していく。このとき、従来のマグネットスクリーン装置では、スクリーン本体３のマグネット層３２と黒板ＭＢとの磁力にのみ頼ってスクリーン本体３を黒板ＭＢに磁着させていたので、スクリーン本体３と黒板ＭＢとの間に空気が入り込んだりシワや弛みが生じることがあった。これに対して、本発明のマグネットスクリーン装置Ｓでは、収納ケース１の開口部１３から押さえロール５の一部が外に突出している。この開口部１３から外に突出した押さえロール５が、収納ケース１から引き出されるスクリーン本体３を黒板ＭＢに押圧するように、黒板ＭＢに対して収納ケース１を傾けた状態で移動させる。これにより、引き出されたスクリーン本体３は押さえロール５で黒板ＭＢに押圧されながら磁着していくので、スクリーン本体３と黒板ＭＢとの間に空気が入り込みにくくなりシワや弛みの発生が防止される。また、収納ケース１の移動方向が幅方向に対して直交する方向となるように移動方向の矯正もなされる。黒板ＭＢに対する収納ケース１の傾き角度は、ケース本体１１の開口部１３の周縁がスクリーン本体３及び黒板ＭＢに接触せず且つ押さえロール５のみがスクリーン本体３に接触し押圧する角度範囲である。
【００３２】
そして、図６（ｃ）及び図７（ｃ）に示すように、スクリーン本体３が所望の長さＷ引き出されたところで、収納ケース１を元の状態にもどして収納ケース１を永久磁石１６によって黒板ＭＢに固定する。このとき、前述のように、押さえロール５の高さ方向下端と黒板ＭＢとの距離Ｄ（図２に図示）が３ｍｍ〜５ｍｍの範囲であると、巻き取りロール２の近傍位置までスクリーン本体３を黒板ＭＢに磁着させることでき広い映写可能範囲を確保できる。引き出し長さＷは、スクリーン本体３の幅方向長さによっても異なるが、通常、最大で１．５ｍ程度である。
【００３３】
使用後のスクリーン本体３の収納ケース１への巻き取りは、前述の引き出し手順と逆の手順で行われる。すなわち、図６（ｃ）及び図７（ｃ）のスクリーン本体３を引き出して展開した状態から、図６（ｂ）及び図７（ｂ）に示すように、収納ケース１を黒板ＭＢに対して傾けた状態で固定用バー４の方向に移動させてスクリーン本体３を巻き取りロール２に巻き取る。このとき、押さえロール５と巻き取りロール２との間の距離が短く、しかもロール間のスクリーン本体３は張架されているので、幅方向のズレや弛みなくスクリーン本体３は巻き取りロール２に巻き取られる。そして、図６（ａ）及び図７（ａ）のスクリーン本体３が収納ケース１に収納された状態となったところで巻き取りが完了する。その後は、必要により、永久磁石１６，４１の磁力に抗してマグネットスクリーン装置Ｓを黒板ＭＢから取り外し他の場所に移動させる。なお、前述のように、スクリーン本体３には巻き取りロール２の不図示のスプリングによって巻き取られる方向に常に付勢力が付与されているので、引き出す方向に外力が加わらない限りスクリーン本体３は収納状態を維持する。
【００３４】
（その他）
以上説明した実施形態では、スクリーン本体３はマグネット層３２側を内側として巻き取りロール２に巻き取られていたが、スクリーン層３１を内側として巻き取りロール２に巻き取られる形態としても構わない。ただし、このような形態の場合、巻き取りロール２に巻き取られている間の癖によってスクリーン本体３を展開したときに幅方向両端部が捲れ上がるおそれがあるので、スクリーン本体３はマグネット層３２側を内側として巻き取りロール２に巻き取られる形態が推奨される。
【００３５】
また、前記実施形態では、押さえロール５の幅方向長さはスクリーン本体３の幅以上であったが、押さえロール５の幅方向長さはスクリーン本体３の幅未満であっても構わない。例えば、スクリーン本体３の幅よりの短い複数本の押さえロール５が、スクリーン本体３の幅方向両端部及び必要により幅方向中央部を押圧するように設けられた形態としても構わない。
【００３６】
また、図６及び図７に示した前記実施形態では、収納ケース１は左右方向に移動させてスクリーン本体３の引き出し及び巻き取りを行っていたが、上下方向に収納ケース１を移動させてスクリーン本体３の引き出し及び巻き取りを行っても勿論構わない。あるいは斜め方向に収納ケース１を移動させてスクリーン本体３の引き出し及び巻き取りを行っても構わない。
【産業上の利用可能性】
【００３７】
本発明のマグネットスクリーン装置Ｓによれば、スクリーン本体３にシワや弛みが生じることなく黒板等の被着磁体ＭＢに磁着させることができ、また巻き取る際もスクリーン本体３にシワや弛みが生じることなく巻き取りロール２に巻き取ることができ有用である。
【符号の説明】
【００３８】
Ｓ  マグネットスクリーン装置
１  収納ケース
２  巻き取りロール
３  スクリーン本体
４  固定用バー
５  押さえロール（押さえ部材）
１１  ケース本体
１２ａ，１２ｂ  キャップ部材
１３  開口部
１５  凹部
１６  永久磁石
１７  取手
２１  支持軸
４１  永久磁石
ＭＢ  黒板（被磁着体）
１２１  第１ボス
１２２  リブ
１２３  リブ
１２４  第２ボス
１２５ａ，１２５ｂ  貫通孔
１２６  突出部
【図１】
2018155983.tif 000003
【図２】
2018155983.tif 000004
【図３】
2018155983.tif 000005
【図４】
2018155983.tif 000006
【図５】
2018155983.tif 000007
【図６】
2018155983.tif 000008
【図７】
2018155983.tif 000009